(57)【要約】【課題】スタティック駆動によるパッシブ型液晶装置ではコモン電極とセグメント電極の引き出し電極部が重なると不要な図形が現れる。画素数を増やしながら、この不要な図形を無くし、さらに画質劣化を避けることを目的とする。【解決手段】セグメント電極の画素電極部２１をマトリクス配列させる。セグメント電極の引き出し電極部２２と対抗するコモン電極２４に切り欠け２７を設ける。引き出し電極部２２が表示部の２辺から各々引き出されている。【選択図】        図２
2005025001.tif 000002
【特許請求の範囲】
【請求項１】
セグメント電極が形成された第１の基板とコモン電極が形成された第２の基板とを対向させて、これらの間に液晶材料を封入した液晶装置において、
前記セグメント電極は、表示画素を形成する画素電極部と、この画素電極部に信号を入力するための引き出し電極部とを有し、
前記コモン電極は、１の電極が前記複数の画素電極部の全体に対向して形成され、かつ前記引き出し電極部に対向する部分に電極が存在しない切り欠き部を有し、この切り欠き部に前記引き出し電極部の複数本が対向して配置されたことを特徴とする液晶装置。
【請求項２】
前記画素電極部が、行列状に配置されたことを特徴とする請求項１に記載の液晶装置。
【請求項３】
前記引き出し電極部の全体は、前記複数の画素電極部の全体からなる表示部の１辺から引き出される引き出し電極と、対向する１辺から引き出される引き出し電極からなることを特徴とする請求項２に記載の液晶装置。
【請求項４】
前記コモン電極は、前記第２の基板の中央に配置されると共に前記第２の基板の対向する２辺に平行に形成された主電極部と、この主電極部から前記２辺の各々に延びた複数の副電極部とを有し、この副電極部と副電極部との間が前記切り欠き部となっていることを特徴とする請求項１乃至請求項３の何れか１項に記載の液晶装置。
【請求項５】
前記主電極部は、前記副電極部と同等かそれ以上の幅寸法を有し、前記コモン電極への電圧の印加が前記主電極部に対して行われることを特徴とする請求項４に記載の液晶装置。
【請求項６】
前記液晶がポリマー分散液晶であることを特徴とする請求項１乃至請求項５の何れか１項に記載の液晶装置。
【請求項７】
透明なコモン電極を形成した透明基板と透明なセグメント電極を形成した透明基板を電極面が対向するようにして近接し、この隙間に液晶を封入し、各々の画素が独立に駆動されるスタティック駆動方式のパッシブ型液晶装置において、セグメント電極駆動回路の出力端子とコモン電極が接続していることを特徴とする液晶装置。
【発明の詳細な説明】
【０００１】
【発明の属する技術分野】
本発明は、液晶装置に関し、さらに詳しくは各画素に独立した電圧を印加できるスタティック方式で駆動するパッシブ型液晶装置の電極構造と駆動方法に関する。
【０００２】
【従来の技術】
透明なコモン電極を形成した透明基板と透明なセグメント電極を形成した透明基板を電極面が隙間を設けて対向するようにして配設し、この隙間に液晶を封入した液晶装置は、画面内にスイッチング素子（アクティブ素子ともいう）を持たないためパッシブ型と呼ばれている。このパッシブ型液晶装置を駆動する方法は、スタティック駆動方式とダイナミック駆動方式がある。スタティック駆動方式は画素ごとに自由な電圧を印加することができるので、電圧で制御できる液晶の様々な性質を利用するのに適しているため、光学的なスイッチおよび透過率や位相をアナログ的に制御する装置、液晶レンズや可変容量などで見られる誘電率が可変な素子、などで利用されてきた。しかし各画素が独立した駆動回路（電圧供給源）を必要とするため駆動回路から画素への接続配線が多くなり、表示素子としては、セブンセグメント表示のような小規模のものに限られていた。
【０００３】
これに対しダイナミック駆動方式は、液晶の透過率が電圧実効値に応答する性質と閾値をもつ性質を利用し、走査電極を順番に選択する時分割駆動を行っているもので、走査電極が数百本にまで及ぶような液晶装置が実用化されている。しかしながらダイナミック駆動方式は、液晶装置の走査電極数が増加すると透過率の制御に使える電圧範囲が狭くなるという制限をはじめとして、様々な制約があるため表示素子以外への応用は多くない。
【０００４】
最近、ある程度任意に開口部の位置と形状を制御し、物体を部分的に見せたり隠したりするシャッター素子が要求されるようになってきた。このシャッター素子として多数の画素が行列状に配列したドットマトリクス型液晶装置を使い、この上に図形を表示すれば所望のシャッター機能を実現できそうである。ところがシャッターとして要求される性能が著しく高度な場合（たとえばコントラスト比が１０００程度）や、演出効果（例えば見栄えの良いこと）を出すため特別な液晶を使う場合（たとえば散乱状態と透明状態が切り替わるポリマー分散液晶）、先に述べたようにダイナミック駆動は、駆動電圧範囲が狭くなったり、また波形応答（透過率が高電圧の選択波形の影響を受け、単純に実効値だけで決まらなくなる現象）があったりするため、液晶の性能を引き出すには充分なものとはいえない。
【０００５】
これに対し前述したように、スタティック駆動は、液晶に自由な電圧を印加できる上、交流駆動を行う場合でも比較的自由な周波数を選べること、波形応答がないことなどから液晶の性能を充分に引き出すためにたいへん有効である。
【０００６】
このスタティック駆動には、前述した画素数を多くできないパッシブ型の液晶装置の他に、パーソナルコンピュータなどで使われているアクティブマトリックス型の液晶装置がある。アクティブマトリクス型の液晶装置は、各画素にスイッチング素子を持たせスタティック駆動を行っている。例えばスイッチング素子として一般的な薄膜トランジスタ（以下、ＴＦＴ素子と称する）が使われる場合、ゲート配線を介してＴＦＴ素子が選択されるとソース・ドレイン間が導通し、セグメント配線を介して所望の電圧が画素に伝達される。ＴＦＴ素子の選択が終わりソース・ドレイン間が非導通状態となると、各画素は直前の電圧を保持しながら液晶にこの電圧を印加し続ける。このようにＴＦＴ素子を使ったアクティブマトリクス型の液晶装置は、ゲート配線とセグメント配線によるアドレッシング機能もっている。一般にアクティブマトリクス型の液晶装置は、このようなアドレッシング機能を有し、これでドットマトリクス構成でも各画素へ任意の電圧を印加でき、高性能の液晶表示装置として広く普及している。
【０００７】
しかしながら液晶シャッターとして必要とされている液晶装置は、普及しているアクティブマトリクス型の液晶装置に比べ画素数が著しく少ないため、このアクティブマトリクス型の液晶装置を液晶シャッターに使うと性能と価格の釣り合いがとれなくなってくる。さらにアクティブマトリクス型液晶装置は、スイッチング素子の性能限界を越えた電圧を画素に印加できないので、使用できる液晶が制限されるという課題もある。そこで液晶シャッター用に画素数がある程度多く、価格や性能でアクティブマトリクス型の液晶装置に勝るスタティック方式のパッシブマトリクス型液晶装置が必要となった。
【０００８】
【特許文献１】
実開昭５６−７５７８２号公報
【特許文献２】
実開昭６１−１４００２号公報
【特許文献３】
特開２００２−２２９０５１号公報（図１）
【０００９】
【発明が解決しようとする課題】
スタティック駆動によるパッシブ型液晶装置で画素数を増やそうとした場合、コモン電極とセグメント電極の引き出し電極部との間に重なり合う部分があると、この引き出し電極部に沿って液晶に電圧が印加され不要な図形が現れてしまう。この対策として不要な図形が現れる領域を完全に遮光する方法（ブラックマトリクスと呼ばれる）はあるが、遮光部を形成するため液晶装置の製造工程が複雑化してしまう上、黒い格子状の遮光部が黒の格子、あるいはストライプとして見えてしまい演出効果や表示品質を下げてしまうことがある。
【００１０】
この不要な図形を避ける別の手段としては、液晶装置に限らずスタティック駆動を利用した様々な表示装置において、丸形状や三角形状などの電極形状をなすセグメント電極の引き出し電極部と重なる部分のコモン電極に切り欠き部を設けて部分的に電極を除去する方法が知られている（たとえば、上記文献１，２，３に示されている）。
【００１１】
しかしながらこれらの表示装置は、駆動対象となる画素（セグメント電極）数が少なかったので、液晶シャッターのように画素数がある程度多くなくてはならい液晶装置に適用できるもではなかった。また、画素数が増えてくると配線抵抗や容量性負荷による画質劣化を考慮する必要も生じる。さらに演出効果や多数の画素を簡単にスタティック駆動できる方法も求められる。
【００１２】
そこで本発明の第１の目的は、スタティック駆動方式を採用したパッシブ型の液晶装置に対し、画素数を増大させながらも前述の不要な図形がなく画質劣化の少ない電極構造を提供することである。さらに第２の目的は演出効果を持たせることであり、第３の目的は簡単な駆動回路を提供することである。
【００１３】
【課題を解決するための手段】
上記課題を解決するために本発明は、セグメント電極が形成された第１の基板とコモン電極が形成された第２の基板とを対向させて、これらの間に液晶材料を封入した液晶装置において、前記セグメント電極は、表示画素を形成する画素電極部と、この画素電極部に信号を入力するための引き出し電極部とを有し、
前記コモン電極は、１の電極が前記複数の画素電極部の全体に対向して形成され、かつ前記引き出し電極部に対向する部分に電極が存在しない切り欠き部を有し、この切り欠き部に前記引き出し電極部の複数本が対向して配置されたことを特徴とする。
【００１４】
さらに、前記画素電極部が、行列状に配置されたことを特徴とする。
【００１５】
さらに、前記引き出し電極部の全体は、前記複数の画素電極部の全体からなる表示部の１辺から引き出される引き出し電極と、対向する１辺から引き出される引き出し電極からなることを特徴とする。
【００１６】
さらに、前記コモン電極は、前記第２の基板の中央に配置されると共に前記第２の基板の対向する２辺に平行に形成された主電極部と、この主電極部から前記２辺の各々に延びた複数の副電極部とを有し、この副電極部と副電極部との間が前記切り欠き部となっていることを特徴とする。
【００１７】
さらに、前記主電極部は、前記副電極部と同等かそれ以上の幅寸法を有し、前記コモン電極への電圧の印加が前記主電極部に対して行われることを特徴とする。
【００１８】
さらに、前記液晶がポリマー分散液晶であることを特徴とする。
【００１９】
また、透明なコモン電極を形成した透明基板と透明なセグメント電極を形成した透明基板を電極面が対向するようにして近接し、この隙間に液晶を封入し、各々の画素が独立に駆動されるスタティック駆動方式のパッシブ型液晶装置において、セグメント電極駆動回路の出力端子とコモン電極が接続していることを特徴とする。
【００２０】
【発明の実施の形態】
図１、２、３により実施例を説明する。図１は、図１（ａ）の左側の図が液晶装置の平面図であり、図１（ａ）の右側の図が液晶装置の側面図、図１（ｂ）が図１（ａ）に則したブロック図である。図２は、図２（ａ）が画素配置と電極構造を説明するための模式的な平面図、図２（ｂ）がコモン電極の形状を模式的に示す平面図である。図３は、図３（ａ）が集積化したセグメント電極駆動回路（以後セグメント電極駆動ＩＣと称する）のブロック図、図３（ｂ）がセグメント電極駆動ＩＣの制御信号の波形図、図３（ｃ）がセグメント電極駆動ＩＣの出力の波形図である。
【００２１】
図１（ａ）において本実施例の液晶装置の外観を説明する。第１の基板である下ガラス１１上には、図面を見て上端と下端付近にセグメント電極駆動ＩＣ１２、１５が実装されている。この実装方式は、セグメント電極駆動ＩＣ１２、１５の端子面と下ガラス１１上の配線面を向かい合わせ、入出力端子と配線を接続する方法で、チップ・オン・グラス（ＣＯＧ）実装と呼ばれている。さらに下ガラス１１上には第２の基板である上ガラス１３が取り付けられている。
【００２２】
上ガラス１３の周辺にあるシール部（図示せず）が上ガラス１３と下ガラス１１を接着している。上下のガラス１１、１３とシール部に取り囲まれた領域にポリマー分散液晶が封入されている。ポリマー分散液晶は、電圧を印加しない状態（以下オフと称する）では白濁（散乱状態）しており、閾値以上の電圧を加えると透明な状態（以下オンと称する）となる。
【００２３】
この液晶は、透過率と印加電圧の関係（Ｔ−Ｖカーブと呼ばれる）が緩やかなため通常はスタティック方式で駆動される。またアクティブマトリク型液晶装置用に低電圧でオン−オフ制御できるものも開発されているが、本実施例ではは充分な散乱性を得るため液晶層を厚くし閾値を上げたため、高電圧（１０Ｖ前後）でスタティック駆動した。なお表示部１４は、上下のガラス１３，１１の間にあるので点線で示した。
【００２４】
図１（ｂ）において本実施例の液晶装置の動作状況を説明する。図１（ａ）との相関を明示するため点線は図１（ａ）の上下のガラス１３、１１を示している。図１（ａ）の表示部１４は上下の画面１８、１９に分かれている。
【００２５】
液晶装置の外部から制御信号、表示データ、電源からなる入力配線群１６がセグメント電極駆動ＩＣ１２、１５に入力している。上下のセグメント電極駆動ＩＣ１２、１５は、それぞれ上下の画面１８、１９にセグメント電極駆動信号１７を出力する。なお後述するように、上側のセグメント電極駆動ＩＣはコモン電極駆動信号も出力している。
【００２６】
図２において実施例の電極配置と構造を説明する。図１（ｂ）と同様に図２（ａ）でもセグメント電極駆動ＩＣ１２、１５に入力配線群１６が接続している。図２（ａ）ではコモン電極２４が上ガラスに形成されているので、コモン電極２４を点線で示した。図２（ｂ）ではコモン電極２４を抜き出して描いている。図２（ａ）に示されているように、セグメント電極は正方形の画素電極部２１と引き出し電極部２２からなっている。点線で示したコモン電極２４は全ての画素電極部２１と対向するように形成されており、画素電極部２１とコモン電極２４の交差部が画素である。
【００２７】
図２（ｂ）においてコモン電極２４の形状を説明する。コモン電極２４は、上下の中心に左右に延びた主電極部２５があり、この主電極部２５と直交するように複数の副電極部２６が存在する。副電極部２６とその隣の副電極部２６との間の隙間が、コモン電極２４の切り欠き部２７である。
【００２８】
図２（ａ）に戻りコモン電極２４とセグメント電極の位置関係を説明する。引き出し電極部２２の存在する領域と対向する面には、コモン電極２４が存在せず、コモン電極２４の切り欠き部２７となっている。切り欠き部２７と対向する面には、複数の引き出し電極部２２が存在するとも言える。
【００２９】
図中では説明のためコモン電極２４が画素電極部２１の列よりも広く描いているが、画素と画素電極部２１は同じ形となる。この画素（または画素電極部２１）は８行４列の格子状（行列状）に配列しており、この領域が図１（ａ）の表示部１４となる。なお説明のため図では画素数を減らして描いている。
【００３０】
上側のセグメント電極駆動ＩＣ１２の出力端子（図示せず）は引き出し電極部２２を介して表示部の上側４行の画素電極部２１と個別に接続している。同様に下側のセグメント電極駆動ＩＣ１５の出力端子（図示せず）は引き出し電極部２２を介して表示部の下側４行の画素電極部２１と個別に接続している。図１（ｂ）と比べると表示部は、上側４行の画素配列が上画面１８、下側４行の画素配列が下画面１９に対応する。そして上画面１８内の画素電極部２１とセグメント電極駆動ＩＣ１２とを接続する引き出し電極部２２は表示部１４の上側の一辺から引き出されている。同様に下画面１９内の画素電極部２１とセグメント電極駆動ＩＣ１５とを接続する引き出し電極部２２は表示部の下側の一辺から引き出されている。
【００３１】
コモン電極２４の主電極部２５である中央の配線は、上下の画面が隣接する中央の画素列（第４行と第５行）と重なっており、副電極部２６は１列の画素電極部２１と重なっている。主電極部２５の幅は画素電極部２１で２列分あり、副電極２６の幅（画素電極部２１の１列分）より広い。
【００３２】
コモン電極２４の主電極部２５と上側のセグメント電極駆動ＩＣ１２の出力端子は配線２３を介して接続している。
【００３３】
実際に試作した液晶装置は、画素配列が１６行３２列であり、画素ピッチが５ｍｍであった。そして画素間の隙間は０．１ｍｍであり、ここに７本の引き出し電極部を配置した。セグメント電極駆動ＩＣに近い画素に接続する引き出し電極部は、セグメント電極駆動ＩＣから遠い画素の引き出し電極部よりも細くし配線抵抗の影響を少なくした。
【００３４】
また下ガラスに実装されたセグメント電極駆動ＩＣの出力端子から下ガラス上に配線を形成し、シール（異方性導電シール材）内に混入した導電粒子を介してこの配線と上ガラスに配設されたコモン電極の主電極部を接続した。
【００３５】
ポリマー分散液晶はオフ状態で白濁しているため、表示画面に任意の図形を表示させたとき画素間の電圧が印加されない部分は白い格子となってみえた。
【００３６】
図３により実施例の液晶装置の駆動方法を説明する。（ａ）において、セグメント電極ＩＣは、第１のラインメモリ３７、第２のラインメモリ３８、バッファ３９からなっている。第１のラインメモリ３７にはデータ３０とシフトクロック３１、ラッチクロック３２が入力する。第１のラインメモリ３７は、シフトクロック３１を計数して連続的に入力する各々のデータ３０に対しアドレスを作成しメモリセルに格納する。
【００３７】
このメモリセルは保持しているデータを出力信号３５として出力し続けている。第１のラインメモリ３７はシリアルーパラレル変換器として使用しており、その出力信号３５は複数ビットとなる。ラッチクロック３２は、第１のラインメモリ３７内にありシフトクロック３１を計数する回路を初期化するものである。
【００３８】
第２のラインメモリ３８には、第１のラインメモリ３７の出力信号３５とラッチクロック３２が入力する。バッファ３９には、第２のラインメモリ３８の出力信号３６と極性制御信号３３と液晶駆動電圧３４が入力する。バッファ３９は、排他論理和とレベルシフタからなり、第２のラインメモリ３８の出力信号３６と極性制御信号３３の排他論理和を実行して、その出力を液晶駆動電圧３４で電圧変換（レベルシフトとも呼ばれる）する。
【００３９】
一般にバッファ３９の出力は各セグメント電極と接続するものであるが、本実施例では先頭のバッファ３９の出力はコモン電極とも接続している。また第１のラインメモリ３７のメモリセルと、第２のラインメモリ３８のメモリセル、バッファ３９の数は等しい。
【００４０】
図３（ｂ）において図３（ａ）のセグメント電極駆動ＩＣの動作を説明する。ラッチクロック３２には１フレームあたり２発のパルスがあり、このパルスの間にシフトクロック３１とデータ３０のパルス列が存在する。データ３０の論理レベルは表示しようとする図形に依存するのでパルス列を長方形で示した。なおシフトクロック３１の最初のパルスの前後でデータ３０がローレベルとなっている。これは後述するコモン電極駆動用のデータに相当する。
【００４１】
データ３０はシフトクロック３１の各々のパルスで取り込まれ、第１のラインメモリ３７の各メモリセルに格納される。ラッチクロック３２の最初のパルスは第１のラインメモリ３７内のアドレスを作成する計数回路を初期化する。ラッチクロック２１の２番目のパルスは第１のラインメモリ３７に格納されたデータを第２のラインメモリ３８に転送するのに使う。
【００４２】
極性制御信号３３は、ラッチクロック３２の２発目のパルス以降、一定周期で反転し始める。これが液晶装置の駆動に相当する。なお本実施例では、２個のセグメント電極駆動ＩＣ１２、１５（図１参照）を使っているが、それぞれのセグメント電極駆動ＩＣ１２、１５をカスケード接続して使うことにより一個のセグメント電極駆動ＩＣと見なすことが可能となる。
【００４３】
図３（ｃ）において画素の駆動波形を説明する。コモン電極の駆動波形ＣＯＭは、図３（ｂ）の極性制御信号３３を液晶駆動用電圧３４に変換したもので、図３（ａ）の先頭のバッファ３９から出力されたものである。
【００４４】
図３（ａ）と図３（ｂ）を見比べながら、図３（ｃ）のコモン電極の駆動波形ＣＯＭの作成方法を説明する。図３（ｂ）においてデータ３０は、シフトクロック３１の第一発目のパルスの存在するタイミングでローレベルになっている。図３（ａ）の第一のラインメモリは、このローレベル状態を取り込み保持する。この取り込まれた状態は、図３（ｂ）で示されているラッチクロック３２の第２番目のパルスで、図３（ａ）の第２のラインメモリ３８に転送される。これで第２のラインメモリ３８の先頭の出力信号３６がローレベルとなる。このローレベルの出力と極性制御信号３３の排他論理和は、極性制御信号３８と同じ波形となる。これをバッファ３９内のレベルシフタで電圧変化し、図３（ｃ）のコモン電極の駆動波形ＣＯＭが得られる。
【００４５】
図３（ｃ）において、画素をオンさせる波形ＯＮは、図３（ｂ）の第２のラッチクロック３２の２発目のパルス以降、コモン電極の駆動波形ＣＯＭの反転信号となっている。これは、図３（ａ）のバッファ３９に入力する出力信号３６がハイレベルになっている場合に相当し、この出力信号３６と極性制御信号３３との排他論理和をとったものを電圧変換したものである。セグメント電極に印加する波形ＯＮとコモン電極の駆動波形ＣＯＭが反転関係にあるので、画素には正ないし負の電圧が印加され液晶がオンする。
【００４６】
図３（ｃ）において、画素をオフさせる波形ＯＦＦは、コモン電極の駆動波形ＣＯＭと同じ電圧・位相となっている。これは、図３（ａ）のバッファ３９に入力するローレベルの出力信号３６と極性制御信号３３との排他論理和をとったものを電圧変換したものである。セグメント電極に印加する波形ＯＦＦとコモン電極の駆動波形ＣＯＭが同じ波形なので、画素に電圧が印加されず液晶がオフ状態となる。コモン電極の駆動波形ＣＯＭと信号ＯＦＦは同じ波形でよいので、コモン電極の駆動信号ＣＯＭをセグメント駆動ＩＣの一つの出力から得ている。
【００４７】
実施例では２枚の基板とも透明なガラスを使用した。しかし反射光を利用する表示素子では片方の基板が反射機能を持つ基板であってもよい。例えば、ガラス表面にアルミニウムを蒸着したガラス（この場合、ＡＬ層の上に絶縁層を形成しＩＴＯ電極の短絡を防ぐ）がある。
【００４８】
実施例の液晶物質はポリマー分散液晶であった。この液晶は偏光板が不要なことから透過率の高い液晶装置を提供できる。しかし本発明はこの液晶に限定されるわけでなく、他の全ての液晶物質（ないし層構造）に適用可能である。ＴＮ（ツイステッド・ネマティック）液晶、ツイスト角を大きくし複屈折を利用したＳＴＮ（スーパー・ツイステッド・ネマティック）液晶、強誘電液晶に本発明を適用すると、偏光板が必要となるが、ポリマー分散液晶に比べ高いコントラスト比と早い応答特性が得られる。
【００４９】
セグメント電極に自由に電圧を印加できるスタティック方式は、液晶装置ばかりでなく電圧（電界）で光学特性を制御できる多くの表示装置にも適用できることを述べた。本発明も同様であり、例えば電気泳動型の表示素子の場合、液晶装置と同様に二枚の基板間に電気泳動材料を配置し、本発明の構造をとることができる。
【００５０】
【発明の効果】
従来は、１つの切り欠き部に１つの引き出し電極部を対向配置させていたので、セブンセグメントのような画素密度の少ないものしかできなかった。本発明は、コモン電極の切り欠き部に重なるように複数のセグメント電極の引き出し電極部を配置しているので、引き出し電極部の不要点灯を防止しながら画素数の多い液晶装置を得ることが可能となる。また、画素電極部を行列状に配置すれば画素密度を高められる。引き出し電極部を表示部の２辺から引き出せば、さらに画素数を増すことができる。
【００５１】
主電極部で駆動電圧源と接続し、コモン電極の中央部（主電極部）を太した上、コモン電極が中央部を軸とした対称形状にすると、コモン電極の配線抵抗を低くしながら、接続点から画素が離れるに従って滑らかに抵抗値が増大していくようにできる。この場合、抵抗値による画質劣化が少ない上、目立ちにくくなる。
【００５２】
透明基板間に封入する液晶をポリマー分散液晶とした場合、画素間が白濁し、全体的には格子となっているため、見た目に柔らかい印象をあたえるという演出効果が得られる。
【００５３】
セグメント電極駆動回路の出力信号でコモン電極を駆動すると、セグメント電極に書き込むデータでコモン電極が制御できる。またセグメント電極駆動とコモン電極駆動が同じ回路を使っているので温度補償や休止制御など液晶装置の制御が容易になる。このようにして多画素のパッシブ型液晶装置でスタティック駆動が簡単に実施できる。
【図面の簡単な説明】
【図１】本発明の実施例の液晶装置の平面図と側面図（ａ）と、平面図に則したブロック図（ｂ）である。
【図２】本発明の実施例の画素配置と電極構造を説明するための模式的な平面図（ａ）と、コモン電極の形状を模式的に示す平面図（ｂ）である。
【図３】本発明の実施例のセグメント電極を駆動するＩＣのブロック図（ａ）と、セグメント電極駆動ＩＣの制御信号の波形図（ｂ）と、セグメント電極駆動ＩＣの出力の波形図（ｃ）である。
【符号の説明】
１１  下ガラス
１２、１５  セグメント電極駆動ＩＣ
１３  上ガラス
１４  表示部
１６  入力配線群
１７  セグメント電極駆動信号
１８  上画面
１９  下画面
２１  画素電極部
２２  引き出し電極部
２３  配線
２４  コモン電極
２５  主電極部
２６  副電極部
２７  切り欠き部
３０  データ
３１  シフトクロック
３２  ラッチクロック
３３  極性制御信号
３４  液晶駆動電圧
３５、３６  出力信号
３７    第１のラインメモリ
３８    第２のラインメモリ
３９    バッファ
ＣＯＭ  コモン電極の駆動波形
ＯＮ    画素部をオンさせるセグメント電極駆動波形
ＯＦＦ  画素部をオフさせるセグメント電極駆動波形
【図１】
2005025001.tif 000003
【図２】
2005025001.tif 000004
【図３】
2005025001.tif 000005